(57)【要約】【課題】  キックの種類に応じて十分なボールスピードを確保でき、適切なボールコントロールを行うことができるフットボールシューズのアッパー構造を提供する。【解決手段】  フットボールシューズのアッパー構造において、シューズ１の前足部を覆うアッパー部材Ｕを設け、アッパー部材Ｕの表層部をインステップキック領域ＵＰ、インサイドキック領域Ｕｄおよびインフロントキック領域Ｕｔに分ける。これらの領域のうちの少なくとも一つの領域に樹脂コーティング層を形成し、またはＥＶＡを挿入する。【選択図】  図２
2006305040.tif 000002
【特許請求の範囲】
【請求項１】
フットボールシューズのアッパー構造において、
シューズの前足部を覆うアッパー部材を有し、
前記アッパー部材の表層部をインステップキック領域、インサイドキック領域およびインフロントキック領域に分けるとともに、これらの領域のうちの少なくとも一つの領域にコーティング層を形成しまたは粘弾性素材を挿入している、
ことを特徴とするフットボールシューズのアッパー構造。
【請求項２】
請求項１において、
前記コーティング層が樹脂またはラバー素材のコーティング層である、
ことを特徴とするフットボールシューズのアッパー構造。
【請求項３】
請求項１において、
前記インステップキック領域、前記インフロントキック領域および前記インサイドキック領域に形成されるコーティング層の厚みをそれぞれｔｐ，ｔｔ，ｔｄとするとき、ｔｐ＞ｔｔ＞ｔｄとなっている、
ことを特徴とするフットボールシューズのアッパー構造。
【請求項４】
請求項３において、
前記コーティング層の厚みは、前記インステップキック領域が５ｍｍ以下、前記インフロントキック領域が４ｍｍ以下、前記インサイドキック領域が２ｍｍ以下となっている、
ことを特徴とするフットボールシューズのアッパー構造。
【請求項５】
請求項１において、
前記インステップキック領域、前記インフロントキック領域および前記インサイドキック領域に形成されるコーティング層の厚みをそれぞれｔｐ，ｔｔ，ｔｄとするとき、ｔｔ＞ｔｐ＞ｔｄとなっている、
ことを特徴とするフットボールシューズのアッパー構造。
【請求項６】
請求項５において、
前記コーティング層の厚みは、前記インステップキック領域が３ｍｍ以下、前記インフロントキック領域が４ｍｍ以下、前記インサイドキック領域が２ｍｍ以下となっている、
ことを特徴とするフットボールシューズのアッパー構造。
【請求項７】
請求項１において、
前記インステップキック領域、前記インフロントキック領域および前記インサイドキック領域に挿入される粘弾性素材の厚みをそれぞれｔｐ’，ｔｔ’，ｔｄ’とするとき、ｔｔ’ ＞ｔｐ’＞ｔｄ’となっている、
ことを特徴とするフットボールシューズのアッパー構造。
【請求項８】
請求項７において、
前記粘弾性素材の厚みは、前記インステップキック領域が５ｍｍ以下、前記インフロントキック領域が６ｍｍ以下、前記インサイドキック領域が３ｍｍ以下となっている、
ことを特徴とするフットボールシューズのアッパー構造。
【請求項９】
請求項３、５または７において、
前記いずれかの領域の少なくとも一部において前記コーティング層または前記粘弾性素材がテーパ状の厚みを有しており、当該テーパ状の厚みを有している領域とその隣の領域との境界部位において、各領域の前記コーティング層または前記粘弾性素材の厚みが等しくなっている、
ことを特徴とするフットボールシューズのアッパー構造。
【請求項１０】
請求項１において、
前記インステップキック領域が、平面視において着用者の足の第１趾基節骨骨頭部近傍位置から第１趾中足骨中央部にかけての領域を覆うとともに、側面視において第１趾基節骨骨頭部近傍位置から第１趾中足骨中央部にかけての領域の主に上側部分を覆う領域であり、
前記インサイドキック領域が、平面視において第１趾基節骨骨底部から第１趾中足骨をへて内側楔状骨骨頭部にかけての領域の主に内甲側部分を覆うとともに、側面視において第１趾基節骨骨底部から第１趾中足骨をへて内側楔状骨にかけての領域を覆う領域であり、
前記インフロントキック領域が、平面視において第１趾基節骨骨頭部近傍位置から第１趾中足骨をへて内側楔状骨骨頭部にかけての領域を覆うとともに、側面視において第１趾基節骨骨頭部近傍位置から第１趾中足骨をへて内側楔状骨にかけての領域を覆う領域である、
ことを特徴とするフットボールシューズのアッパー構造。
【請求項１１】
請求項１において、
前記アッパー部材の表面の内甲側領域から足甲領域にかけて、実質的に幅方向に延びる複数の溝が形成されており、これらの溝のうちの一つは足の中足趾節関節に対応する位置に配置されており、当該溝の前側および後側に配置された溝は、足甲側にいくにしたがい当該溝に徐々に接近する方向に配設されており、各溝が全体として扇状に配設されている、
ことを特徴とするフットボールシューズのアッパー構造。
【発明の詳細な説明】
【技術分野】
【０００１】
本発明は、フットボールシューズ、とりわけサッカーシューズに好適のアッパー（甲被）構造に関し、詳細には、キックの種類に応じて十分なボールスピードを確保でき、適切なボールコントロールを行うことができるアッパー構造に関する。
【背景技術】
【０００２】
従来のシューズのアッパー構造として、たとえば実開昭５９−８６１０３号公報には、アッパーの一部または全体に複数のポリウレタン製突条部を形成したものが示されており、また登録実用新案第３０５０６６７号公報には、アッパーのインフロントおよびアウトフロントに溝付ゴムを取り付けたものが示されている。
【０００３】
上記各公報に示されたものはいずれも、ボールコントロールを向上させる観点から、アッパーの一部または全体にボールの滑りを抑えるための部材が付加されている。
【０００４】
しかしながら、上記従来のシューズにおいては、種々のキックに適切に対応するようには構成されておらず、またボールスピードを向上させる観点からの改良はなされていない。
【特許文献１】実開昭５９−８６１０３号公報（第１図および第２図参照）
【特許文献２】登録実用新案第３０５０６６７号公報（図１参照）
【発明の開示】
【発明が解決しようとする課題】
【０００５】
本発明は、このような従来の実情に鑑みてなされたもので、キックの種類に応じて十分なボールスピードを確保でき、適切なボールコントロールを行うことができるアッパー構造を提供しようとしている。
【課題を解決するための手段】
【０００６】
本願発明に係る発明者らは、まず、サッカーにおいて代表的なキックであるインステップキック、インサイドキックおよびインフロントキックの際に、シューズのアッパーのどの領域がボールと接触しているかを科学的に検証することから開発をスタートさせた。
【０００７】
一流のサッカー選手１０人を集め、それぞれの足の表面の内甲側部および第１趾から第５趾の各足趾に沿ってセンサを貼り付け、その上から靴下を履いた状態でボールをキックしてもらい、キックの種類に応じて足のどの位置にどれだけの圧力が作用しているかを検証した。
【０００８】
図３は、インステップキック時の各選手の圧力分布の平均値を、図４は、インサイドキック時の各選手の圧力分布の平均値を、図５は、インフロントキック時の各選手の圧力分布の平均値をそれぞれ示している。なお、各図において、（ａ）は圧力分布を上方から見た平面図であり、（ｂ）は圧力分布を内甲側から見た側面図である。また、等圧線の色の濃い部分ほど圧力が高いことを示している。
【０００９】
図３より、インステップキック時に圧力の高い領域は、平面視において着用者の足の第１趾基節骨骨頭部近傍位置から第１趾中足骨中央部にかけての領域を覆う領域であって、側面視において第１趾基節骨骨頭部近傍位置から第１趾中足骨中央部にかけての領域の主に上側部分を覆う領域である。また、図４より、インサイドキック時に圧力の高い領域は、平面視において第１趾基節骨骨底部から第１趾中足骨をへて内側楔状骨骨頭部にかけての領域の主に内甲側部分を覆うとともに、側面視において第１趾基節骨骨底部から第１趾中足骨をへて内側楔状骨にかけての領域を覆う領域である。さらに、図５より、インフロントキック時に圧力の高い領域は、平面視において第１趾基節骨骨頭部近傍位置から第１趾中足骨をへて内側楔状骨骨頭部にかけての領域を覆うとともに、側面視において第１趾基節骨骨頭部近傍位置から第１趾中足骨をへて内側楔状骨にかけての領域を覆う領域である。
【００１０】
その一方、一般に、インステップキックは、主にシュートの際に用いられるキックであって、ボールを速くしかも遠くに蹴りたい場合に使用される。また、インサイドキックは、主にパスやＰＫ（ペナルティキック）の際に用いられるキックであって、ボールを正確に（したがって遅く）しかも近くに蹴りたい場合に使用される。さらに、インフロントキックは、正確性とある程度のボール速度を要求されるキックであって、主にフリーキックやパスの際に用いられるキックである。
【００１１】
これらのキックを、キック後に要求されるボール速度の観点から分類すると、キック後に最も速いボール速度を要求されるのは、インステップキックであり、これにインフロントキックが続き、インサイドキックの場合が最もボール速度が遅い。また、ボールコントロールの観点から分類すると、ボールとの接触時間が最も長く、ボールに対して高いトラクション性（つまりグリップ性）を要求されるのは、足を捻ってボールに当て足をボール表面に沿って滑らせるようにしてキックを行うインフロントキックであり、足を真っ直ぐボールに当てるインサイドキックは、ボールとの接触時間が最も短く、ボールに対するトラクション性が最も低い。また、インステップキックは、これらキックの中間のトラクション性を要求される。
【００１２】
本願発明は、このような検証結果からなされたものであり、フットボールシューズのアッパー表面をキックの種類に応じて複数の領域に分けるとともに、各領域がそれぞれ要求される機能を適切に発揮できるようにすることを意図している。
【００１３】
本願の請求項１の発明に係るフットボールシューズのアッパー構造は、シューズの前足部を覆うアッパー部材を有しており、アッパー部材の表層部をインステップキック領域、インサイドキック領域およびインフロントキック領域に分けるとともに、これらの領域のうちの少なくとも一つの領域にコーティング層を形成しまたは粘弾性素材を挿入している。
【００１４】
この場合には、インステップキック領域にエネルギ反発率の高い高反発性樹脂のコーティング層を形成することにより、最も速いボール速度を要求されるインステップキックの際に確実にボール速度の速いボールを蹴り出すことができる。またインフロントキック領域に厚みの厚いコーティング層を形成しまたは粘弾性素材を挿入することにより、高いトラクション性を要求されるインフロントキックの際にボールとの接触時間を長くすることができ、これにより、ボールに対するトラクション性を向上でき、ボールコントロールを向上できる。なお、アッパー部材の表面にコーティング層を形成した場合には、当該領域の耐久性を向上できる。また、アッパー部材の内部に粘弾性素材を挿入した場合には、当該領域のクッション性を向上でき、とくに足の発育が不十分なジュニアに好適のアッパー構造を実現できる。
【００１５】
請求項２の発明では、コーティング層が樹脂またはラバー素材から構成されている。この場合、樹脂は、高反発性のものに限らず、低反発性つまりエネルギ吸収タイプのものでもよい。
【００１６】
請求項３の発明においては、インステップキック領域、インフロントキック領域およびインサイドキック領域に形成されるコーティング層の厚みをそれぞれｔｐ，ｔｔ，ｔｄとするとき、ｔｐ＞ｔｔ＞ｔｄとなっている。
【００１７】
請求項３の発明は、キック後のボール速度を優先したパターンを示している。各領域のコーティング層の厚みを上記順序に設定したのは、以下の理由による。
エネルギ吸収タイプの樹脂Ａおよび高反発性タイプの樹脂Ｂという２種類の樹脂を用意し、それぞれについてアッパー部材へのコーティング層の厚みを１〜５ｍｍまで１ｍｍ刻みで変化させていった場合において、キック後のボール速度およびキック時のボール接触時間についてシミュレーション試験を行った結果を図６に示す。同図に示すように、いずれのタイプの樹脂コーティング層においても、コーティング層の厚みが増すほど、キック後のボール速度が増加していることが分かる。
【００１８】
そこで、このようなシミュレーション試験結果を踏まえ、キック後に最も速いボール速度を要求されるインステップキック領域のコーティング層の厚みを最も厚くするとともに、キック後のボール速度が最も遅くて足りるインサイドキック領域のコーティング層の厚みを最も薄くし、インフロントキック領域のコーティング層の厚みをこれらの中間の厚みとしたのである。なお、インフロントキック領域にある程度の厚みのコーティング層を確保することは、ボール接触時間をある程度長く保つ必要があるインフロントキック領域の目的にも寄与することになる。
【００１９】
請求項４の発明においては、インステップキック領域のコーティング層の厚みが５ｍｍ以下、インフロントキック領域のコーティング層の厚みが４ｍｍ以下、インサイドキック領域のコーティング層の厚みが２ｍｍ以下となっている。
【００２０】
各領域におけるコーティング層の厚みの上限をこのように設定したのは、以下の理由による。
アッパー部材のインステップキック領域、インフロントキック領域およびインサイドキック領域の各領域のコーティング層の厚みを０．５，１，２，３，４，５，６，７ｍｍと変化させた場合において、９人のサッカー選手に実際にシューズを履いてキックを行ってもらい、そのときに選手が主にシューズの屈曲性の観点から違和感を感じたかどうかの官能試験を行った。その結果を図７に示す。
【００２１】
図７から分かるように、インステップキック領域のコーティング層厚みついては、コーティング層厚みが６ｍｍ以上になると、９人すべての選手が違和感を感じており、このため、インステップキック領域のコーティング層厚みの上限を５ｍｍとした。また、インフロントキック領域のコーティング層厚みについては、コーティング層厚みが５ｍｍ以上になると、９人すべての選手が違和感を感じており、このため、インフロントキック領域のコーティング層厚みの上限を４ｍｍとした。さらに、インサイドキック領域のコーティング層厚みについては、コーティング層厚みが３ｍｍ以上になると、９人すべての選手が違和感を感じており、このため、インサイドキック領域のコーティング層厚みの上限を２ｍｍとした。
【００２２】
請求項５の発明においては、インステップキック領域、インフロントキック領域およびインサイドキック領域に形成されるコーティング層の厚みをそれぞれｔｐ，ｔｔ，ｔｄとするとき、ｔｔ＞ｔｐ＞ｔｄとなっている。
【００２３】
請求項５の発明は、キック時にボールコントロールを優先したパターンを示している。各領域のコーティング層の厚みを上記順序に設定したのは、以下の理由による。
図６のシミュレーション試験結果から分かるように、いずれのタイプの樹脂コーティング層においても、コーティング層の厚みが増すほど、キック時のボール接触時間が増加する傾向にある。
【００２４】
そこで、このようなシミュレーション試験結果を踏まえ、キック時に最も長いボール接触時間を要求されるインフロントキック領域のコーティング層の厚みを最も厚くするとともに、キック時のボール接触時間が最も短くて足りるインサイドキック領域のコーティング層の厚みを最も薄くし、インステップキック領域のコーティング層の厚みをこれらの中間の厚みとしたのである。なお、インステップキック領域に中間の厚みのコーティング層を形成することは、ボール速度をある程度速く保つ必要があるインステップキック領域の目的にも寄与することになる。
【００２５】
請求項６の発明においては、インステップキック領域のコーティング層の厚みが３ｍｍ以下、インフロントキック領域のコーティング層の厚みが４ｍｍ以下、インサイドキック領域のコーティング層の厚みが２ｍｍ以下となっている。
【００２６】
請求項７の発明においては、インステップキック領域、インフロントキック領域およびインサイドキック領域に挿入される粘弾性素材の厚みをそれぞれｔｐ’，ｔｔ’，ｔｄ’とするとき、ｔｔ’ ＞ｔｐ’＞ｔｄ’となっている。
【００２７】
各領域における粘弾性素材の厚みを上記順序に設定したのは、以下の理由による。
粘弾性素材として、たとえばＥＶＡ（エチレン酢酸ビニル共重合体）を用意し、ＥＶＡの厚みを１〜５ｍｍまで１ｍｍ刻みで変化させてアッパー部材に挿入した場合において、キック後のボール速度およびキック時のボール接触時間についてシミュレーション試験を行った結果を図８に示す。同図に示すように、ＥＶＡの厚みが増すほど、キック時のボール接触時間はほぼ増加する傾向にあることが分かる。
【００２８】
そこで、このようなシミュレーション試験結果を踏まえ、キック時に最も長いボール接触時間を要求されるインフロントキック領域の厚みを最も厚くするとともに、キック時にボール接触時間が最も短くて足りるインサイドキック領域の粘弾性素材の厚みを最も薄くし、インステップキック領域の粘弾性素材の厚みをこれらの中間の厚みとしたのである。
【００２９】
請求項８の発明においては、インステップキック領域の粘弾性素材の厚みが５ｍｍ以下、インフロントキック領域の粘弾性素材の厚みが６ｍｍ以下、インサイドキック領域の粘弾性素材の厚みが３ｍｍ以下となっている。
【００３０】
各領域における粘弾性素材の厚みの上限をこのように設定したのは、以下の理由による。
アッパー部材のインステップキック領域、インフロントキック領域およびインサイドキック領域の各領域における粘弾性素材の厚みを０．５，１，２，３，４，５，６，７ｍｍと変化させた場合において、９人のサッカー選手に実際にシューズを履いてキックを行ってもらい、そのときに選手が主にシューズの屈曲性の観点から違和感を感じたかどうかの官能試験を行った。その結果を図９に示す。
【００３１】
図９から分かるように、インステップキック領域の粘弾性素材厚みついては、粘弾性素材厚みが６ｍｍ以上になると、９人すべての選手が違和感を感じており、このため、インステップキック領域の粘弾性素材厚みの上限を５ｍｍとした。また、インフロントキック領域の粘弾性素材厚みついては、粘弾性素材厚みが７ｍｍ以上になると、９人すべての選手が違和感を感じており、このため、インフロントキック領域の粘弾性素材厚みの上限を６ｍｍとした。さらに、インサイドキック領域の粘弾性素材厚みついては、粘弾性素材厚みが４ｍｍ以上になると、９人すべての選手が違和感を感じており、このため、インサイドキック領域の粘弾性素材厚みの上限を３ｍｍとした。
【００３２】
請求項９の発明においては、前記いずれかの領域の少なくとも一部において、コーティング層または粘弾性素材がテーパ状の厚みを有しており、当該テーパ状の厚みを有している領域とその隣の領域との境界部位において、各領域のコーティング層または粘弾性素材の厚みが等しくなっている。
【００３３】
請求項１０の発明では、インステップキック領域が、平面視において着用者の足の第１趾基節骨骨頭部近傍位置から第１趾中足骨中央部にかけての領域を覆うとともに、側面視において第１趾基節骨骨頭部近傍位置から第１趾中足骨中央部にかけての領域の主に上側部分を覆う領域である。また、インサイドキック領域は、平面視において第１趾基節骨骨底部から第１趾中足骨をへて内側楔状骨骨頭部にかけての領域の主に内甲側部分を覆うとともに、側面視において第１趾基節骨骨底部から第１趾中足骨をへて内側楔状骨にかけての領域を覆う領域である。インフロントキック領域は、平面視において第１趾基節骨骨頭部近傍位置から第１趾中足骨をへて内側楔状骨骨頭部にかけての領域を覆うとともに、側面視において第１趾基節骨骨頭部近傍位置から第１趾中足骨をへて内側楔状骨にかけての領域を覆う領域である。
【００３４】
請求項１０の発明は、図３ないし図５を用いて説明したように、一流のサッカー選手に実際にキックを行ってもらってそのときに足に作用する圧力の高い領域を検証することによって、構築されている。
【００３５】
請求項１１の発明では、アッパー部材の表面の内甲側領域から足甲領域にかけて、実質的に幅方向に延びる複数の溝が形成されており、これらの溝のうちの一つが足の中足趾節関節に対応する位置に配置され、当該溝の前側および後側の溝が、足甲側にいくにしたがい当該溝に徐々に接近する方向に配設されており、各溝が全体として扇状に配設されている。
【００３６】
この場合には、アッパー部材表面の内甲側領域から足甲領域にかけて複数の溝を形成したので、アッパー部材表層部にコーティング層が形成されたりまたは粘弾性素材が挿入されたりした場合でも、足の屈曲動作が阻害されるのを防止できる。しかも、この場合には、複数の溝が、足の中足趾節関節に対応する位置に配置された溝を含むとともに、扇状に配設されているので、足の屈曲をよりスムーズに行えるようになる。
【発明の効果】
【００３７】
以上のように本発明によれば、アッパー部材の表層部をインステップキック領域、インサイドキック領域およびインフロントキック領域に分け、これらの領域のうちの少なくとも一つの領域にコーティング層を形成しまたは粘弾性素材を挿入するようにしたので、キックの種類に応じて十分なボールスピードを確保でき、適切なボールコントロールを行うことができるようになる。
【発明を実施するための最良の形態】
【００３８】
以下、本発明の実施例を添付図面に基づいて説明する。
図１は、本発明の一実施例によるサッカーシューズの側面図である。同図に示すように、サッカーシューズ１は、下面に複数のスタッドＳｃが設けられたソールＳと、その上に固着されたアッパーＵとから主として構成されている。
【００３９】
図２に示すように、アッパーＵは、インステップキック領域Ｕｐ、インサイドキック領域Ｕｄおよびインフロントキック領域Ｕｔを有している。これらの領域は、図３ないし図５を用いてすでに説明したように、一流のサッカー選手１０人にそれぞれインステップキック、インサイドキックおよびインフロントキックを行ってもらい、各キックの際にボールとの接触圧力が高いアッパー領域を科学的に検証した結果に基づいて求められたものである。
【００４０】
インステップキック領域Ｕｐは、インステップキック時に圧力の高い領域であって、図３（ａ）の圧力分布図より、平面視においては、着用者の足の第１趾基節骨ＰＰ１の骨頭部近傍位置から第１趾中足骨Ｍ１の中央部にかけての領域を覆うとともに、同図（ｂ）の圧力分布図より、側面視においては、第１趾基節骨ＰＰ１の骨頭部近傍位置から第１趾中足骨Ｍ１の中央部にかけての領域の主に上側部分を覆う領域である。
【００４１】
インサイドキック領域Ｕｄは、インサイドキック時に圧力の高い領域であって、当該領域は、図４（ａ）の圧力分布図より、平面視においては、第１趾基節骨ＰＰ１の骨底部から第１趾中足骨Ｍ１をへて内側楔状骨ＣＢの骨頭部にかけての領域の主に内甲側部分を覆うとともに、同図（ｂ）の圧力分布図より、側面視においては、第１趾基節骨ＰＰ１の骨底部から第１趾中足骨Ｍ１をへて内側楔状骨ＣＢにかけての領域を覆う領域であるが、本実施例では、インサイドキック領域Ｕｄとして、平面視および側面視のいずれの場合においても、とくに第１趾中足骨Ｍ１の中央部から後側部分の領域に着目することとした（図２参照）。
【００４２】
インフロントキック領域Ｕｔは、インフロントキック時に圧力の高い領域であって、図５（ａ）の圧力分布図より、平面視においては、第１趾基節骨ＰＰ１の骨頭部近傍位置から第１趾中足骨Ｍ１をへて内側楔状骨ＣＢの骨頭部にかけての領域を覆うとともに、同図（ｂ）の圧力分布図より、側面視においては、第１趾基節骨ＰＰ１の骨頭部近傍位置から第１趾中足骨Ｍ１をへて内側楔状骨ＣＢにかけての領域を覆う領域である。
【００４３】
ここで、図３ないし図５から分かるように、インステップキック領域Ｕｐは、平面視において、その一部がインフロントキック領域Ｕｔに包含されるとともに、インフロントキック領域Ｕｔを越えて第２趾近傍まで延在している。また、インステップキック領域Ｕｐは、側面視において、インフロントキック領域Ｕｔにほぼ包含されており、言い換えれば、インステップキック領域Ｕｐは、側面視において、その全体がインフロントキック領域Ｕｔの前側部分および上側部分とオーバラップしている。インサイドキック領域Ｕｄは、平面視において、インフロントキック領域Ｕｔにほぼ包含されており、言い換えれば、インサイドキック領域Ｕｄは、平面視において、その全体がインフロントキック領域Ｕｔの内甲側部分とオーバラップしている。さらに、インサイドキック領域Ｕｄは、側面視において、インフロントキック領域Ｕｔの若干後側に位置している。
【００４４】
このように、各領域が互いにオーバラップする部分を有しているので、図２に示すアッパー構造の場合には、側面視において、インステップキック領域Ｕｐは、着用者の足の第１趾基節骨ＰＰ１の骨頭部近傍位置から第１趾中足骨Ｍ１の中央部にかけての領域を覆う領域とし、インフロントキック領域Ｕｔは、第１趾基節骨ＰＰ１の骨頭部近傍位置から第１趾中足骨Ｍ１をへて内側楔状骨ＣＢの骨頭部にかけての領域を覆う領域とし、インサイドキック領域Ｕｄは、第１趾中足骨Ｍ１の中央部から内側楔状骨ＣＢの骨頭部にかけての領域を覆う領域としている。
【００４５】
また、平面視においては、インステップキック領域Ｕｐは、図３（ａ）の圧力分布図に基づいて、第１趾基節骨ＰＰ１の骨頭部近傍位置から第１趾中足骨Ｍ１の中央部にかけての領域の主に上側部分を覆う領域し、インフロントキック領域Ｕｔは、図５（ａ）の圧力分布図に基づいて、第１趾基節骨ＰＰ１の骨頭部近傍位置から第１趾中足骨Ｍ１をへて内側楔状骨ＣＢにかけての領域を覆う領域とし、インサイドキック領域Ｕｄは、図４（ａ）の圧力分布図に基づいて、第１趾基節骨ＰＰ１の骨底部から第１趾中足骨Ｍ１をへて内側楔状骨ＣＢの骨頭部にかけての領域の主に内甲側部分を覆う領域としている。
【００４６】
本発明では、これらインステップキック領域Ｕｐ、インサイドキック領域Ｕｄ、インフロントキック領域Ｕｔのうちの少なくとも一つの領域に、例えば樹脂のコーティング層を形成しており、または粘弾性素材を挿入している。以下、本発明の代表的な実施例について説明する。
【００４７】
＜第１の実施例＞
第１の実施例では、インステップキック領域Ｕｐ、インフロントキック領域Ｕｔ、インサイドキック領域Ｕｄに形成されるコーティング層の厚みをそれぞれｔｐ，ｔｔ，ｔｄとするとき、ｔｐ＞ｔｔ＞ｔｄとなっている。
【００４８】
この第１の実施例は、キック後のボール速度を優先したパターンを示している。各領域のコーティング層の厚みを上記順序に設定したのは、以下の理由による。
図６を用いてすでに説明したように、エネルギ吸収タイプのウレタン樹脂Ａおよび高反発性タイプのウレタン樹脂Ｂという２種類の樹脂を用意し、それぞれについてアッパーＵへのコーティング層の厚みを１〜５ｍｍまで１ｍｍ刻みで変化させていった場合において、キック後のボール速度およびキック時のボール接触時間についてシミュレーション試験を行うと、いずれのタイプの樹脂コーティング層においても、コーティング層の厚みが増すほど、キック後のボール速度が増加する傾向にあることが分かった。
【００４９】
第１の実施例では、このようなシミュレーション試験結果を踏まえ、インステップキック領域Ｕｐ、インフロントキック領域Ｕｔおよびインサイドキック領域Ｕｄに、エネルギ吸収タイプまたは高反発性タイプの樹脂コーティング層をそれぞれ形成した。この場合において、まず、キック後に最も速いボール速度を要求されるインステップキック領域Ｕｐのコーティング層の厚みｔｐを最も厚くし、次に、キック後のボール速度が最も遅くて足りるインサイドキック領域Ｕｄ（ただし、インフロントキック領域Ｕｔとのオーバラップ部分を除く）のコーティング層の厚みｔｄを最も薄くし、最後に、インフロントキック領域Ｕｔ（ただし、インステップキック領域Ｕｐとのオーバラップ部分を除く）のコーティング層の厚みｔｔをこれらの中間の厚みとしたのである。なお、インフロントキック領域にある程度の厚みのコーティング層を確保することは、ボール接触時間をある程度長く保つ必要があるインフロントキック領域の目的にも寄与することになる。
【００５０】
具体的には、各コーティング層の厚みは、インステップキック領域Ｕｐの厚みｔｐが５ｍｍ以下、インフロントキック領域Ｕｔ（ただし、インステップキック領域Ｕｐとのオーバラップ部分を除く）の厚みｔｔが４ｍｍ以下、インサイドキック領域Ｕｄ（ただし、インフロントキック領域Ｕｔとのオーバラップ部分を除く）の厚みｔｄが２ｍｍ以下に設定されている。
【００５１】
各領域におけるコーティング層の厚みの上限をこのように設定したのは、以下の理由による。
図７を用いてすでに説明したように、アッパーＵのインステップキック領域Ｕｐ、インフロントキック領域Ｕｔおよびインサイドキック領域Ｕｄの各コーティング層の厚みをそれぞれ０．５，１，２，３，４，５，６，７ｍｍと変化させた場合において、９人のサッカー選手に実際にシューズを履いてキックを行ってもらい、そのときに選手が主にシューズの屈曲性の観点から違和感を感じたかどうかの官能試験を行った。
【００５２】
このような官能試験の結果、インステップキック領域Ｕｐのコーティング層厚みｔｐについては、コーティング層厚みｔｐが６ｍｍ以上になると、９人すべての選手が違和感を感じており、このため、インステップキック領域Ｕｐのコーティング層厚みｔｐの上限を５ｍｍとした。また、インフロントキック領域Ｕｔのコーティング層厚みｔｔについては、コーティング層厚みｔｔが５ｍｍ以上になると、９人すべての選手が違和感を感じており、このため、インフロントキック領域Ｕｔのコーティング層厚みｔｔの上限を４ｍｍとした。さらに、インサイドキック領域Ｕｄのコーティング層厚みｔｄについては、コーティング層厚みｔｄが３ｍｍ以上になると、９人すべての選手が違和感を感じており、このため、インサイドキック領域Ｕｄのコーティング層厚みｔｄの上限を２ｍｍとした。
【００５３】
官能試験の結果から求められた各コーティング層の厚みの上限値と、上述した各コーティング層の厚みが満たすべき大小関係とから、各コーティング層の厚みは、たとえばｔｐ＝５，ｔｔ＝４，ｔｄ＝２に設定されている。
【００５４】
この場合には、インステップキック領域Ｕｐのコーティング層厚みｔｐを最も厚くしたので、最も速いボール速度を要求されるインステップキックの際に確実にボール速度の速いボールを蹴り出すことができるようになる。また、この場合には、インステップキック領域Ｕｐのコーティング層厚みｔｐを厚くすることで、インステップキック領域Ｕｐを包含する大部分のインフロントキック領域Ｕｔのコーティング層厚みも厚くなるので、高いトラクション性を要求されるインフロントキックの際にボールとの接触時間をある程度長くすることができ、これにより、ボールに対するトラクション性を向上でき、ボールコントロールを向上できる。
【００５５】
また、この場合には、インサイドキック領域Ｕｄのコーティング層厚みｔｄを最も薄くしたので、インサイドキックの際には、他の領域に比べてキック後のボール速度を最も遅くすることができる。
【００５６】
このようにして、キックの種類に応じて十分なボールスピードを確保でき、適切なボールコントロールをある程度確保できるようになる。
【００５７】
＜第２の実施例＞
第２の実施例では、インステップキック領域Ｕｐ、インフロントキック領域Ｕｔ、インサイドキック領域Ｕｄに形成されるコーティング層の厚みをそれぞれｔｐ，ｔｔ，ｔｄとするとき、ｔｔ＞ｔｐ＞ｔｄとなっている。
【００５８】
この第２の実施例は、キック時のボールコントロールを優先したパターンを示している。各領域のコーティング層の厚みを上記順序に設定したのは、以下の理由による。
図６のシミュレーション試験結果を用いてすでに説明したように、いずれのタイプの樹脂コーティング層においても、コーティング層の厚みが増すほど、キック時のボール接触時間が増加している。
【００５９】
第２の実施例では、このようなシミュレーション試験結果を踏まえ、インステップキック領域Ｕｐ、インフロントキック領域Ｕｔおよびインサイドキック領域Ｕｄに、エネルギ吸収タイプまたは高反発性タイプの樹脂コーティング層をそれぞれ形成した。この場合において、まず、キック時に最も長いボール接触時間を要求されるインフロントキック領域Ｕｔのコーティング層の厚みｔｔを最も厚くし、次に、キック時のボール接触時間が最も短くて足りるインサイドキック領域Ｕｄ（ただし、インフロントキック領域Ｕｔとのオーバラップ部分を除く）のコーティング層ｔｄの厚みを最も薄くし、最後に、インステップキック領域Ｕｐ（ただし、インフロントキック領域Ｕｔとのオーバラップ部分を除く）をこれらの中間の厚みとしたのである。なお、インステップキック領域Ｕｐにある程度の厚みのコーティング層を確保することは、ボール速度を速くする必要があるインステップキック領域の目的にも寄与することになる。
【００６０】
具体的には、各コーティング層の厚みは、インステップキック領域Ｕｐが３ｍｍ以下、インフロントキック領域Ｕｔが４ｍｍ以下、インサイドキック領域Ｕｄが２ｍｍ以下に設定されている。
【００６１】
各領域におけるコーティング層の厚みの上限をこのように設定したのは、以下の理由による。
図７を用いてすでに説明したように、官能試験の結果からは、インステップキック領域Ｕｐのコーティング層厚みｔｐの上限は５ｍｍであり、インフロントキック領域Ｕｔのコーティング層厚みｔｔの上限は４ｍｍであり、インサイドキック領域Ｕｄのコーティング層厚みｔｄのコーティング層厚みｔｄの上限を２ｍｍであるが、本実施例では、ボール速度よりもボールコントロールを優先しているため、最も高いボールコントロールを要求されるインフロントキック領域Ｕｔのコーティング層厚みｔｔをインステップキック領域Ｕｐのコーティング層厚みｔｐよりも厚くしたのである。
【００６２】
官能試験の結果およびボールコントロール性の観点から求められた各コーティング層の厚みの上限値と、上述した各コーティング層の厚みが満たすべき大小関係とから、各コーティング層の厚みは、たとえばｔｐ＝３，ｔｔ＝４，ｔｄ＝２に設定されている。
【００６３】
この場合には、インフロントキック領域Ｕｔのコーティング層厚みｔｔを最も厚くしたので、高いトラクション性を要求されるインフロントキックの際にボールとの接触時間を長くすることができ、これにより、ボールに対するトラクション性を向上でき、ボールコントロールを向上できる。
【００６４】
また、この場合には、インサイドキック領域Ｕｄのコーティング層厚みｔｄを最も薄くしたので、インサイドキックの際には、他の領域に比べてキック時のボール接触時間を最も短くすることができる。また、インステップキック領域Ｕｐのコーティング層厚みｔｐについても厚くインステップキックの際にある程度のボール速度を確保することができる。
このようにして、適切なボールコントロールを行うことができるようになる。
【００６５】
＜第３の実施例＞
第３の実施例は、前記第１および第２の実施例と異なり、各領域に粘弾性素材（たとえばＥＶＡ）を挿入している。インステップキック領域Ｕｐ、インフロントキック領域Ｕｔおよびインサイドキック領域Ｕｄに挿入される粘弾性素材の厚みをそれぞれｔｐ’，ｔｔ’，ｔｄ’とするとき、ｔｔ’ ＞ｔｐ’＞ｔｄ’となっている。
【００６６】
この第３の実施例は、キック時のボールコントロールを優先したパターンを示している。各領域のコーティング層の厚みを上記順序に設定したのは、以下の理由による。
図８を用いてすでに説明したように、粘弾性素材としてＥＶＡ（エチレン酢酸ビニル共重合体）を用意し、ＥＶＡの厚みを１〜５ｍｍまで１ｍｍ刻みで変化させてアッパーＵに挿入した場合において、キック後のボール速度およびキック時のボール接触時間についてシミュレーション試験を行うと、ＥＶＡの厚みが増すほど、キック後のボール速度は減少する一方、キック時のボール接触時間は増加する傾向にあることが分かった。
【００６７】
第３の実施例では、このようなシミュレーション試験結果を踏まえ、インステップキック領域Ｕｐ、インフロントキック領域Ｕｔおよびインサイドキック領域ＵｄにＥＶＡをそれぞれ挿入した。この場合において、まず、キック時に最も長いボール接触時間を要求されるインフロントキック領域ＵｔにおけるＥＶＡの厚みを最も厚くし、次に、キック時にボール接触時間が最も短くて足りるインサイドキック領域Ｕｄ（ただし、インフロントキック領域Ｕｔとのオーバラップ部分を除く）におけるＥＶＡの厚みを最も薄くし、最後に、インステップキック領域Ｕｐ（ただし、インフロントキック領域Ｕｔとのオーバラップ部分を除く）におけるＥＶＡの厚みをこれらの中間の厚みとしたのである。
【００６８】
具体的には、ＥＶＡの厚みは、インステップキック領域Ｕｐが５ｍｍ以下、インフロントキック領域Ｕｔが６ｍｍ以下、インサイドキック領域Ｕｄが３ｍｍ以下に設定されている。
【００６９】
各領域におけるＥＶＡの厚みの上限をこのように設定したのは、以下の理由による。
図９を用いてすでに説明したように、アッパーＵのインステップキック領域Ｕｐ、インフロントキック領域Ｕｔおよびインサイドキック領域Ｕｄの各ＥＶＡの厚みをそれぞれ０．５，１，２，３，４，５，６，７ｍｍと変化させた場合において、９人のサッカー選手に実際にシューズを履いてキックを行ってもらい、そのときに選手が主にシューズの屈曲性の観点から違和感を感じたかどうかの官能試験を行った。
【００７０】
このような官能試験の結果、インステップキック領域ＵｐのＥＶＡ厚みｔｐ’については、ＥＶＡ厚みｔｐが６ｍｍ以上になると、９人すべての選手が違和感を感じており、このため、インステップキック領域ＵｐのＥＶＡ厚みｔｐ’の上限を５ｍｍとした。また、インフロントキック領域ＵｔのＥＶＡ厚みｔｔ’については、ＥＶＡ厚みｔｔ’が７ｍｍ以上になると、９人すべての選手が違和感を感じており、このため、インフロントキック領域ＵｔのＥＶＡ厚みｔｔ’の上限を６ｍｍとした。さらに、インサイドキック領域ＵｄのＥＶＡ厚みｔｄ’については、ＥＶＡ厚みｔｄ’が４ｍｍ以上になると、９人すべての選手が違和感を感じており、このため、インサイドキック領域ＵｄのＥＶＡ厚みｔｄ’の上限を３ｍｍとした。
【００７１】
官能試験の結果から求められた各ＥＶＡ厚みの上限値と、上述したＥＶＡ厚みが満たすべき大小関係とから、各ＥＶＡ厚みは、たとえばｔｐ’＝４，ｔｔ’＝５，ｔｄ’＝３に設定されている。
【００７２】
この場合には、インフロントキック領域ＵｔのＥＶＡ厚みｔｔ’を最も厚くしたので、高いトラクション性を要求されるインフロントキックの際にボールとの接触時間を長くすることができ、これにより、ボールに対するトラクション性を向上でき、ボールコントロールを向上できる。
【００７３】
また、この場合には、インサイドキック領域ＵｄのＥＶＡ厚みｔｄ’を最も薄くしたので、インサイドキックの際には、他の領域に比べてキック時のボール接触時間を最も短くすることができる。さらに、インステップキック領域ＵｐのＥＶＡ厚みｔｐ’を中間の厚みとしたので、インステップキックの際にある程度のボール接触時間を確保することができる。
このようにして、適切なボールコントロールを行うことができるようになる。
【００７４】
＜第４の実施例＞
第４の実施例では、図１および図１０に示すように、アッパーＵの表面の内甲側領域から足甲領域にかけて、実質的に幅方向に延びる複数の溝Ｍが形成されている。これらの溝Ｍは、アッパーＵの表層部へのコーティング層の形成または粘弾性素材の挿入により、シューズの屈曲が妨げられないようにするためのものである。
【００７５】
これらの溝のうち、中間に配置された溝Ｍ０は、足の中足趾節関節に対応する位置に配置されており、溝Ｍ０の前側および後側に配置された溝Ｍ１，Ｍ２は、足甲側にいくにしたがい溝Ｍ０に徐々に接近する方向に配設されており、各溝が全体として扇状に配設されている。各溝の配設位置は、選手に実際にシューズを履いてもらって前後方向にダッシュをした際のアッパー前足部の屈曲の様子を高速度カメラで撮影することにより、求められる。
【００７６】
なお、前記第１および第２の実施例では、コーティング層として、ウレタン樹脂を例にとって説明したが、本発明は、他の樹脂やラバー素材からなるコーティング層にも適用可能である。
【００７７】
また、前記第３の実施例では、粘弾性素材として、ＥＶＡを例にとって説明したが、本発明は、粘弾性を有するその他の素材にも適用可能である。
【００７８】
前記各実施例では、コーティング層またはＥＶＡ層をそれぞれ単独で用いた例を示したが、本発明は、たとえばインステップキック領域にコーティング層を形成しかつインフロントキック領域にＥＶＡ層を形成するというように、コーティング層およびＥＶＡ層を組み合わせて用いる場合にも適用可能である。
【００７９】
前記各実施例においては、各領域におけるコーティング層またはＥＶＡ層の厚みが異なる場合を例にとって説明したが、本発明の適用はこれには限定されない。いずれかの領域の少なくとも一部において、コーティング層またはＥＶＡ層がテーパ状の厚みを有していてもよく、この場合には、当該テーパ状の厚みを有している領域とその隣の領域との境界部位において、各領域のコーティング層またはＥＶＡ層の厚みが等しくなる。
【００８０】
前記各実施例において、アッパー表層部のいずれかの領域にコーティング層を形成した場合には、当該領域の耐久性を向上でき、また、アッパー表層部の内部に粘弾性素材を挿入した場合には、当該領域のクッション性を向上でき、とくに足の発育が不十分なジュニアに好適のアッパー構造を実現できる。
【００８１】
前記各実施例では、サッカーシューズを例にとって説明したが、本発明は、ラグビーシューズやアメリカンフットボールシューズにも適用可能である。
【図面の簡単な説明】
【００８２】
【図１】本発明によるアッパー構造が適用されたサッカーシューズの側面図である。
【図２】前記サッカーシューズ（図１）においてアッパー表層部を仕切る各領域を説明するための図である。
【図３】インステップキック時の圧力分布図であって、（ａ）は圧力分布を上方から見た平面図であり、（ｂ）は圧力分布を内甲側から見た側面図である。
【図４】インサイドキック時の圧力分布図であって、（ａ）は圧力分布を上方から見た平面図であり、（ｂ）は圧力分布を内甲側から見た側面図である。
【図５】インフロントキック時の圧力分布図であって、（ａ）は圧力分布を上方から見た平面図であり、（ｂ）は圧力分布を内甲側から見た側面図である。
【図６】樹脂コーティング層の厚みと、ボール速度またはボール接触時間との関係を示すグラフである。
【図７】各領域のコーティング層厚みを変えた場合の官能試験結果を示す図である。
【図８】ＥＶＡの厚みとボール速度またはボール接触時間との関係を示すグラフである。
【図９】各領域の粘弾性素材の厚みを変えた場合の官能試験結果を示す図である。
【図１０】本発明によるアッパー構造を構成する複数の溝が形成されたサッカーシューズを示しており、（ａ）はサッカーシューズの平面図、（ｂ）は側面図である。
【符号の説明】
【００８３】
１：  サッカーシューズ
Ｕ：  アッパー
Ｕｐ：  インステップキック領域
Ｕｄ：  インサイドキック領域
Ｕｔ：  インフロントキック領域
ｔｐ，ｔｄ，ｔｔ：  厚み
Ｍ：  溝
【図１】
2006305040.tif 000003
【図２】
2006305040.tif 000004
【図３】
2006305040.tif 000005
【図４】
2006305040.tif 000006
【図５】
2006305040.tif 000007
【図６】
2006305040.tif 000008
【図７】
2006305040.tif 000009
【図８】
2006305040.tif 000010
【図９】
2006305040.tif 000011
【図１０】
2006305040.tif 000012